(57)【要約】【課題】  販売が容易な香水展示ケースを提案する。【解決手段】  商品展示筐体内部に設けた陳列棚板に陳列される香水商品に対応して、商品展示筐体の外部の前面に、各商品に対応する商品確認部を有する商品確認用棚を設け、商品確認部の香水商品表示カード、香水商品注文カード及び試供品容器によって、商品展示筐体内の香水商品を確認して購入できるようにしたことにより、香水商品を販売し易い小型の香水展示ケースを実現できる。【選択図】        図１
2005021572.tif 000002
【特許請求の範囲】
【請求項１】
複数の香水商品を順次横方向に陳列する陳列棚板を上下方向に複数段形成する商品展示筐体と、
上記商品展示筐体の前面に開閉できるように、設けられた透明扉と、
上記透明扉の前面における上記陳列棚板と対応する位置に横方向に延長するように設けられた複数の商品確認用棚と
を具え、上記商品確認用棚は順次隣接するように横方向に配列された複数の商品確認部を有し、
上記商品確認部はそれぞれ前方から後方に順次香水商品表示カードと、香水商品注文カードと、試供品容器とを順次配列することにより、前方から見て上記香水商品表示カードに対応する香水商品が当該香水商品表示カードの後方の上記陳列棚板上位置に陳列されていることを目視確認すると共に、上記後方に配列されている試供品容器を手にとって香りを嗅ぐことができかつ上記後方に配列されている香水商品注文カードを抜き取ることができるようにした
ことを特徴とする香水展示ケース。
【請求項２】
上記商品確認部は、上記試供品容器を抜き取り自在に保持する試供品保持管体と、上記試供品保持管体の前面に一体に形成された香水商品注文カード保持溝と、上記香水商品注文カード保持溝の前面に一体に形成された香水商品表示カード保持溝とを有し、上記香水商品注文カード保持溝に上記香水商品注文カードを前方から目視できるように保持すると共に上記香水商品表示カード保持溝に上記香水商品表示カードを前方から目視できるように保持する
ことを特徴とする請求項１に記載の講師展示ケース。
【請求項３】
上記香水商品注文カード保持溝及び上記香水商品表示カード保持溝は、当該香水商品注文カード保持溝及び当該香水商品表示カード保持溝にそれぞれ上記香水商品注文カード及び上記香水商品表示カードを保持した状態において、上記香水商品注文カード及び上記香水商品表示カードが前上方に向くように、上方に行くに従って後方に傾いて形成されている
ことを特徴とする請求項１に記載の香水展示ケース。
【発明の詳細な説明】
【技術分野】
【０００１】
本発明は香水展示ケースに関し、特に店頭において香水商品を便利に販売できるようにしたものである。
【背景技術】
【０００２】
従来、この種の香水展示ケースとし、図１０に示すように、左右方向に延長するように、複数例えば５段の陳列棚１Ａないし１Ｅを縦方向に積み重ねるように形成すると共に、商品を取り出せないように（盗難防止のため）前面を覆った透明板２の前表面に、各陳列棚１Ａないし１Ｅに対応する試供品棚３Ａないし３Ｅを突設した構成のものが提案されている（実用新案登録第３０６３９３６号公報）。
【特許文献１】実用新案登録第３０６３９３６号公報
【発明の開示】
【発明が解決しようとする課題】
【０００３】
この香水展示ケース４の場合、各陳列棚１Ａないし１Ｅは仕切り板５によって横方向に複数例えば５個の商品収納室６を形成するようにし、これにより各商品収納室６に香水商品を１品ずつそれぞれ飾ることにより、香水展示ケース４の前方位置から顧客が展示された香水商品を一覧できるようになされている。
【０００４】
各試供品棚３Ａないし３Ｅの各商品収納室６に対応する位置には試供品受け孔７が穿設され、対応する商品収納室６の香水商品の試供品容器８を抜き差し自在に保持できるようになっている。
【０００５】
図１０の香水展示ケース４によれば、香水展示ケース４の前に立った顧客が、陳列棚１Ａないし１Ｅ上に並んでいる商品収納室６を全体として一覧することにより、各香水商品を目視確認しながら、その前面の試供品受け孔７に保持されている試供品容器８を手に取ってその香りを嗅ぐことができることにより、多数の香水商品の外観及び内容を顧客自身の選択操作によって確認できる。
【０００６】
ところが図１０の香水展示ケース４の場合、香りを嗅いだ結果香水商品の選択ができたとしても、当該選択した香水商品について顧客が購入を申し出ることができるような構成にはなっていないので、これを香水製品販売用の什器として用いるには不便な問題がある。
【０００７】
本発明は以上の点を考慮してなされたもので、香水商品を販売するのに便利な構成の香水展示ケースを提案しようとするものである。
【課題を解決するための手段】
【０００８】
かかる課題を解決するため本発明においては、複数の香水商品を順次横方向に陳列する陳列棚板１６Ａ〜１６Ｄを上下方向に複数段形成する商品展示筐体１４と、商品展示筐体１４の前面を覆うように設けられた透明前面板と、透明前面板の前表面における陳列棚板と対応する位置に横方向に延長するように設けられた複数の商品確認用棚１３Ａ〜１３Ｄとを具え、商品確認用棚１３Ａ〜１３Ｄは順次隣接するように横方向に配列された複数の商品確認部４７を有し、商品確認部４７はそれぞれ前方から後方に順次香水商品表示カード５１と、香水商品注文カード５０と、試供品容器４２とを順次配列することにより、前方から見て香水商品表示カード５１に対応する香水商品が当該香水商品表示カード５１の後方の陳列棚板１６Ａ〜１６Ｄ上位置に陳列されていることを目視確認すると共に、後方に配列されている試供品容器４２を手にとって香りを嗅ぐことができかつ後方に配列されている香水商品注文カード５０を抜き取ることができるようにする。
【０００９】
各陳列棚板１６Ａ〜１６Ｄに配列された各商品に対して、商品展示筐体１４の外側の前方位置に商品確認部４７を設けて、対応する香水商品の香水商品表示カード５１、香水商品注文カード５０及び試供品容器４２を順次前後方向に配列するようにしたことにより、全体として小型でかつ顧客が手軽に香水商品の選択及び購入ができる香水展示ケース１１を実現できる。
【発明の効果】
【００１０】
上述のように本発明によれば、各陳列棚に配列された商品１つずつに対して、商品展示筐体の外側の前方位置に商品確認部を設けて、対応する香水商品の香水商品表示カード、香水商品注文カード及び試供品容器を順次配列するようにしたことにより、全体として小型でかつ管理者が販売し易い香水展示ケースを実現できる。
【発明を実施するための最良の形態】
【００１１】
以下図面について、本発明の一実施の形態を詳述する。
【００１２】
図１において、１１は全体として香水展示ケースを示し、香水展示ケース１１の背面には図２及び図３に示すように、鉄製角パイプを全体として高さ方向に細長なコ字状形状に折り曲げてなる支持枠組１２を有し、その先端部でなる床面に接する一対の枠脚部１２Ｌ及び１２Ｒを水平方向に互いに接続するように補強枠部１２Ｃが設けられている。
【００１３】
枠脚部１２Ｌ及び１２Ｒと補強枠部１２Ｃとでなる枠組部分には、前方に突出するように木製木箱構成の商品収納庫１３が取付られ、これにより枠脚部１２Ｌ及び１２Ｒと共に香水展示ケース１１を自立できるように支持すると共に、観音開き動作をする前面扉１３Ｌ及び１３Ｒを開くことにより、商品収納庫１３内に香水商品を出し入れできるようになされている。
【００１４】
前面扉１３Ｌ及び１３Ｒにはガラス窓１３ＷＬ及び１３ＷＲが設けられ、これにより前面扉１３Ｌ及び１３Ｒが扉キー１３Ｋによって施錠された状態において、香水展示ケース１１の管理者が、香水展示ケース１１に陳列された香水商品に対応する販売用香水商品の在庫を外から確認できるようになされている。
【００１５】
補強枠部１２Ｃと、枠脚部１２Ｌ及び１２Ｒより上方に延長する棚枠部１２ＫＬ及び１２ＫＲと、その上端部を連結する連結枠部１２Ｄとでなる枠組部分には、商品展示筐体１４が、商品収納庫１３の上側位置において、前方に突出するように取付られている。
【００１６】
商品展示筐体１４は、透明アクリル板でなる左及び右側板部１４Ｌ及び１４Ｒと、左及び右側板部１４Ｌ及び１４Ｒの上端部間を渡るように取り付けられた天板部１４Ｔと、商品収納庫１３の天板でなる底板部１４Ｂとミラーアクリル板でなる背面板１４Ｍと、によって、方形又は長方形形状の展示空間１５を形成している。
【００１７】
展示空間１５には、底板部１４Ｂから上方に所定の間隔を保つように透明アクリル板でなる４枚の陳列棚板１６Ａ、１６Ｂ、１６Ｃ及び１６Ｄが端部を左及び右側板部１４Ｌ及び１４Ｒと背面板１４Ｍとに接着により取り付けられ、これにより陳列棚板１６Ａないし１６Ｄの板面上における左及び右側板部１４Ｌ及び１４Ｒの幅内に任意に香水商品を配列できるようになされている。１４ＬＬ及び１４ＬＲは蛍光灯である。
【００１８】
この実施の形態の場合、各陳列棚１６Ａないし１６Ｄの後側部には段部１６ＡＸないし１６ＤＸが儲けられ、これにより必要に応じて、例えば小さい香水商品を段部１６ＡＸないし１６ＤＸ上（すなわち少し高所に）配置することにより顧客が見易いような商品配列ができるようになされている。
【００１９】
商品展示筐体１４の前面には、左及び右側板部１４Ｌ及び１４Ｒの前端面に、それぞれ３つの蝶番２１Ｌ１ないし２１Ｌ３及び２１Ｒ１ないし２１Ｒ３によって開閉自在にガラス板で構成された左及び右ガラス扉２２Ｌ及び２２Ｒが取り付けられている。
【００２０】
この実施の形態の場合、商品展示筐体１４の前面中央部には、透明ガラス板でなる閉塞ガラス板２３が上及び下端を天板部１４Ｔ及び底板部１４Ｂの前端面に固着するように取り付けられ、これにより左及び右ガラス扉２２Ｌ及び２２Ｒを閉じてキー２４Ｌ及び２４Ｒによって、左及び右ガラス扉２２Ｌ及び２２Ｒを管理者以外には開けないように閉塞ガラス板２３に施錠できるようになされている。
【００２１】
閉塞ガラス板２３並びに左及び右ガラス扉２２Ｌ及び２２Ｒの前表面における陳列棚板１６Ａ、１６Ｂ、１６Ｃ及び１６Ｄと対応する位置には、それぞれ商品確認用棚３１Ａ、３１Ｂ、３１Ｃ及び３１Ｄが設けられている。
【００２２】
商品確認用棚３１Ａないし３１Ｄは、図４に示すように、閉塞ガラス板２３の前表面に取り付けられる中央棚部３２と、左及び右ガラス扉２２Ｌ及び２２Ｒに取り付けられる左及び右棚部３３Ｌ及び３３Ｒとで構成されている。
【００２３】
中央棚部３２は図５に示すように、断面ほぼコ字状かつ左右方向に長い試供品保持管体４０を、その先端を閉塞ガラス板２３に接着するように当該閉塞ガラス板２３から前方に突出するように取り付けた構成を有する。
【００２４】
試供品保持管体４０の上板には、左右方向に所定の間隔を保って複数例えば３つの試供品保持孔４１が穿設され、各試供品保持孔４１に試供品容器４２を上方から落とし込むことにより試供品保持管体４０の下板部上に取り出し自在に保持できるようになされている。
【００２５】
試供品容器４２は、図６（Ａ）に示すように、透明ガラス瓶４２Ａと、その先端のねじ付き開口部にねじ込まれた合成樹脂材料でなる蓋４２Ｂと、透明ガラス瓶４２Ａに入れられた綿状の香水含浸用芯４２Ｃとで構成されている。
【００２６】
蓋４２Ｂは図６（Ｂ）に示すように、透明ガラス瓶４２Ａにねじ込み保持されるねじ込み部４２Ｂ１と、蝶番部４２Ｂ２によってねじ込み部４２Ｂ１の側端部に開閉自在に保持された蓋本体部４２Ｂ３とを有し、蓋本体部４２Ｂ３が閉動作したとき、内面中心位置にある突起４２Ｂ４がねじ込み部４２Ｂ１の閉塞板部４２Ｂ５の通気孔４２Ｂ６に押し込まれると共に、周縁部がねじ込み部４２Ｂ１の上端用縁に形成された嵌合係止部４２Ｂ７に嵌合することにより、透明ガラス瓶４２Ａ内の気体が外部に洩れないように蓋本体部４２Ｂ３を蓋するようになされている。
【００２７】
かくして、商品確認部４７の試供品保持孔４１から試供品容器４２を取り出した顧客が片手で透明ガラス瓶４２Ａを把持した状態で、例えば親指の腹で蝶番部４２Ｂ２の反対側に設けられている爪部４２Ｂ８を上方に押し上げることにより、蓋本体部４２Ｂ３を蝶番部４２Ｂ２を中心として上方に回動させて、蓋を開ける動作をすることにより、透明ガラス瓶４２Ａ内の香水含浸用芯４２Ｃに含浸されている香水から生ずる気体の香りを、蓋本体部４２ＡＢ３及びねじ込み部４２Ｂ１間の隙間から嗅ぎ採ることができるようになされている。
【００２８】
中央棚部３２の各商品確認部４７における試供品保持孔４１の前方位置には、図５及び図７に示すように、順次香水商品注文カード保持溝４５及び香水商品表示カード保持溝４６とが前方に重なるように設けられており、香水商品注文カード保持溝４５の前面板及び後面板間（その奥行Ｌ１）と、左及び右側面板間に形成された長方形空間に図８に示すプラスティック製の香水商品注文カード５０が差し込み保持される。
【００２９】
また、香水商品表示カード保持溝４６の前面板及び後面板間（その奥行Ｌ２）と、左及び右側面板間に形成される長方形空間に、図９に示すプラステック製の香水商品表示カード５１が差し込まれる。
【００３０】
香水商品表示カード保持溝４６の奥行Ｌ２の値は香水商品表示カード５１が１枚分入る程度にその厚味より少し大きい値に選定され、また香水商品注文カード保持溝４５の奥行Ｌ１の値は香水商品注文カード５０が複数枚入る程度にその厚味より十分大きい値に選定されている。
【００３１】
香水商品表示カード５１は、対応する試供品保持孔４１に保持されている試供品容器４２の香水商品の案内情報を例えば印刷表示されているもので、香水商品の化粧箱の外観を絵表示した化粧箱表示Ｄ１と、化粧箱から出した香水商品の外観を表示する香水商品表示Ｄ２と、香水商品名表示Ｄ３と、値段表示Ｄ４と、液量表示Ｄ５と、商品案内文表示Ｄ６とが表示されている。
【００３２】
かくして顧客は、香水商品表示カード保持溝４６に１枚だけ差し込まれている香水商品表示カード５１の表示を見て、その後ろの試供品保持孔４１に保持されている試供品容器４２の香りが香水商品名Ｄ３の香水商品の香りであることを確認できると共に、当該試供品容器４２の後方位置において、陳列棚板１６Ａないし１６Ｄ上に展示されている香水商品及びその化粧箱の外観と、香水商品表示カード５１上の香水商品表示Ｄ２及び化粧箱表示Ｄ１と見比べることにより、当該香水商品表示カード５１の表示内容が実際の商品と合致することを確認できる。
【００３３】
かくして顧客は香水商品表示カード５１の真後ろにある試供品容器４２を試供品保持孔４１から取り出してその香りを嗅ぐことにより、商品展示筐体１４内に手を触れることができない状態で展示されている香水商品の香りを、１つずつ、嗅ぐことができる。
【００３４】
これに対して香水商品注文カード５０は、化粧箱表示Ｄ１１と、化粧箱から出した香水商品表示Ｄ１２と、香水商品名表示Ｄ１３と液量表示Ｄ１４とを表示すると共に、その上側部分に当該カードが注文カードであることを知らせる注文カード表示Ｄ１５（「このカードをレジにお持ち下さい」の文章が書かれている）が表示されている。
【００３５】
かくして、香水商品表示カード保持溝４６に差し込まされている香水商品表示カード５１の表示とその後ろにある試供品容器４２の香りとによって当該香水商品を購入したい顧客は、対応する香水商品注文カード保持溝４５に差し込まれている香水商品注文カード５０を抜き取ってレジに持って行くことにより、当該香水商品を購入することができる。
【００３６】
各試供品保持孔４１の前方に設けられている香水商品注文カード保持溝４５及び香水商品表示カード保持溝４６は、図５に示すように、上方に行くに従って後方に傾くような向きに形成されており、これにより香水商品注文カード保持溝４５及び香水商品表示カード保持溝４６に差し込まれた香水商品注文カード５０及び香水商品表示カード５１が前上方に、（従って、斜め上向き）向いた状態で保持されるようになされている。
【００３７】
これに加えて最も前方に位置する香水商品表示カード保持溝４６の高さＨ２は、その後方に隣接する香水商品注文カード保持溝４５の高さＨ１より低い高さとなるように選定されていると共に、香水商品注文カード５０の高さＨ１１は香水商品注文カード保持溝４５の高さＨ１より大きい値に選定されており、これにより香水展示ケース１１の前方に立った顧客が、香水商品表示カード５１に邪魔されずに香水商品注文カード５０の注文カード表示Ｄ１５を上方に突出しているように目視することができる。これにより顧客は、当該香水商品注文カード５０の存在に気づくと共に、この香水商品注文カード５０の注文カード表示Ｄ１５の部分が上方に突出していることにより、香水商品表示カード５１に邪魔されずに、かつ香水商品表示カード５１に触れずに、香水商品注文カード５０を抜き取ることができる。
【００３８】
図５ないし図９について上述した商品確認部４７の構成は、商品確認用棚３１Ａないし３１Ｄの中央棚部３２の試供品保持孔４１について設けられていると共に、他の棚、すなわち左及び右棚部３３Ｌ及び３３Ｒについても全く同様に設けられている。
【００３９】
この実施の形態の場合、中央棚部３２には３個、かつ左及び右棚部３３Ｌ及び３３Ｒには６個の商品確認部４７が設けられており、かくして商品確認用棚３１Ａないし３１Ｄにはそれぞれ３＋６×２＝１５個の試供品保持孔４１について、１５個の香水商品の展示をなし得ることにより、香水展示筐体１４全体として１５×４＝６０個の香水商品を展示することができる。
【００４０】
以上の構成において、香水展示ケース１１の管理者は、扉キー２４Ｌ及び２４Ｒを解錠して左及び右ガラス扉２２Ｌ及び２２Ｒを左右に開き陳列棚板１６Ａないし１６Ｄ上に販売しようとする香水商品を配列する。
【００４１】
この香水商品の配列作業は、原則として、各商品確認用棚３１Ａないし３１Ｄに設けられている全ての商品確認部４７について当該各商品確認部４７を前方から見たとき、その真後ろに香水商品が見えるような位置に位置決めする。
【００４２】
このような原則的な配列以外に、一部商品確認部４７について、陳列棚板１６Ａないし１６Ｄ及び又は段部１６ＡＸないし１６ＤＸに分散的に、陳列意匠的な工夫をしても良い。
【００４３】
また、陳列する香水商品は、化粧箱をはずした形態や、化粧箱と並べた形態や、化粧箱に入れた形態の、いずれかの陳列形態にする。
【００４４】
このようにして香水商品の陳列が済むと、管理者が左及び右ガラス扉２２Ｌ及び２２Ｒを閉じて扉キー２４Ｌ及び２４Ｒを施錠し、これにより商品展示筐体１４内の香水商品を管理者以外の者がみだりに取り出すことができないようにする。
【００４５】
この状態において各香水商品は、閉塞ガラス板２３並びに左及び右ガラス扉２２Ｌ及び２２Ｒに取り付けられている商品確認用棚３１Ａないし３１Ｄの商品確認部４７に対して、当該商品確認部４７を前から見たとき、その後方位置において重なるように見える結果になる。
【００４６】
その後管理者は、商品確認部４７の試供品保持孔４１に、対応する香水商品の液を入れた試供品容器４２を入れると共に、当該香水商品を案内する香水商品表示カード５１を香水商品表示カード保持溝４６に差し入れると共に、複数枚の香水商品注文カード５０を香水商品注文カード保持溝４５に差し入れる。
【００４７】
これに加えて、商品展示筐体１４に配列された香水製品の在庫が、商品収納庫１３内に収納されて扉キー１３Ｋによって施錠される。
【００４８】
この状態において、香水展示ケース１１の前に立った顧客は、陳列棚板１６Ａないし１６Ｄ上に陳列された香水商品を閉塞ガラス板２３並びに左及び右ガラス扉２２Ｌ及び２２Ｒを通して１つずつ目視確認できると共に、その前方位置において香水商品表示カード保持溝４６に保持されている香水商品表示カード５１の香水商品名表示Ｄ３、値段表示Ｄ４、液量表示Ｄ５及び商品案内文表示Ｄ６を読み取ることにより、当該商品の概要を知ることができると共に、香水商品表示カード５１の後方位置にある試供品容器４２を片手に取って、その蓋４２Ｂを親指で開けて香水商品の香りを確認することができる。
【００４９】
その結果、顧客が購入したい香水商品があったとき、顧客は、当該香水商品に対応する香水商品注文カード５０を香水商品注文カード保持溝４５から抜き取ってレジに持って行けばよく、このとき香水展示ケース１１の管理者は商品格納庫１３の扉キー１３Ｋを解錠して前面扉１３Ｌ及び１３Ｒを開いて、香水商品注文カード５０の香水商品を取り出して顧客に販売する。
【００５０】
また、香水商品注文カード保持溝４５に差し入れる香水商品注文カード５０の枚数と商品収納庫１３内に収納する香水製品の在庫数を販売前に予め同数にしておくことにより、販売後に香水商品注文カード保持溝４５に残っている香水商品注文カード５０の枚数を確認すれば、容易に商品収納庫１３内に残っている香水製品の在庫数を把握できる。
【００５１】
以上の構成によれば、全ての陳列棚板１６Ａないし１６Ｄについて、複数の商品確認部４７を順次隣接するように設けて後方に配列された各香水商品を１つずつ目視確認できるようにしたことにより、商品展示筐体１４内の空間を効率よく用いて陳列することができる。これにより、香水展示ケース１１の全体としての大きさを一段と小型化できる。
【００５２】
かくするにつき、商品確認部４７として、前側から順次後方に行くに従って香水商品表示カード５１、香水商品注文カード５０及び試供品容器４２を一列に配置できるようにしたことにより、商品展示筐体１４内に展示された香水商品の概要及び香りを、香水商品には直接手を触れずに確実に確認できると共に、購入したい香水商品については試供品容器４２の直前にある香水商品注文カード５０を抜き取るだけの単純な操作をするだけで誤りなく商品の選定ができ、これにより顧客に対して販売し易い販売什器としての機能が得られる。
【産業上の利用可能性】
【００５３】
店頭において香水商品を販売するための什器として利用できる。
【図面の簡単な説明】
【００５４】
【図１】本発明による香水展示ケースの前面構成を示す正面図である。
【図２】図１の香水展示ケース１１の側面構成を示す右側面図である。
【図３】図１の香水展示ケース１１の背面構成を示す背面図である。
【図４】図１の商品確認用棚３１Ａないし３１Ｄの上面構成を示す平面図である。
【図５】図４のＡ−Ａ断面によって商品確認部の断面構成を示す断面図である。
【図６】試供品容器を示す正面図である。
【図７】図５の商品確認部４７を示す正面図である。
【図８】香水商品注文カードを示す正面図である。
【図９】香水商品表示カードを示す正面図である。
【図１０】従来の香水展示ケースを示す斜視図である。
【符号の説明】
【００５５】
１Ａないし１Ｅ……陳列棚、２……透明板、３Ａないし３Ｅ……試供品棚、４……香水展示ケース、５……仕切り板、６……商品収納室、４、１１……香水展示ケース、１２……支持枠組、１２Ｌ、１２Ｒ……枠脚部、１２ＫＬ、１２ＫＲ……棚枠部、１２Ｃ……補強枠部、１２Ｄ……連結枠部、１３……商品収納庫、１３Ｌ、１３Ｒ……前面扉、１４……商品展示筐体、１４Ａ……天板部、１４Ｂ……底板部、１４Ｌ、１４Ｒ……左、右側板部、１５……展示空間、２１Ｌ１ないし２１Ｌ３、２１Ｒ１ないし２１Ｒ３……蝶番、２２Ｌ、２２Ｒ……左、右ガラス扉、２３……閉塞ガラス板、２４Ｌ、２４Ｒ……扉キー、３１Ａないし３１Ｄ……商品確認用棚、３２……中央棚部、３３Ｌ、３３Ｒ……左、右棚部、４０……試供品保持管体、４１……試供品保持孔、４２……試供品容器、４５……香水商品注文カード保持溝、４６……香水商品表示カード保持溝、４７……商品確認部、４２Ａ……透明ガラス瓶、４２Ｂ……蓋、４２Ｂ１……ねじ込み部、４２Ｂ２……蝶番部、４２Ｂ３……蓋本体部、４２Ｂ４……突起、４２Ｂ５……閉塞板部、４２Ｂ６……通気孔、４２Ｂ７……嵌合係止部、４２Ｂ８……爪部、４２Ｃ……香水含浸用芯、５０……香水商品注文カード、５１……香水商品表示カード。
【図１】
2005021572.tif 000003
【図２】
2005021572.tif 000004
【図３】
2005021572.tif 000005
【図４】
2005021572.tif 000006
【図５】
2005021572.tif 000007
【図６】
2005021572.tif 000008
【図７】
2005021572.tif 000009
【図８】
2005021572.tif 000010
【図９】
2005021572.tif 000011
【図１０】
2005021572.tif 000012